(57)【要約】【課題】贈答品に簡単に取り付けることのできる装飾用具にて、簡易な操作で効果音などの音を発生させるようにし、贈答品の送り手の気持ちをより効果的に表現できるようにしたり雰囲気作りに大いに寄与できるようにする。【解決手段】装飾用具本体２に収納部４を設け、その収納部４に、スイッチ９の押下により音信号を電気信号として復号して所定時間出力する音信号発生部７と、音信号発生部７からの電気信号が入力されて発音動作する発音部８とからなる音発生装置６を収納し、装飾用具本体２上からスイッチ９を押下操作したときに音発生装置６が出力する音が装飾用具本体２を通して外方に放出される構成とした。【選択図】図１
2015006765.tif 000002
【特許請求の範囲】
【請求項１】
音の透過可能な布製の収納部を備え、タイやソックスなどの着用品を模した形態にした装飾用具本体と、贈答品に前記装飾用具本体を止め付けるための手段であって、装飾用具本体の背面に取り付けられている紐状体とからなり、
前記収納部には、
回路基板上にスイッチと電源電池と音信号発生ＩＣとを実装して、前記スイッチの押下により音信号発生ＩＣが記録している音信号を電気信号として復号して所定時間出力する音信号発生部と、この音信号発生部からの電気信号が入力されて発音動作するスピーカーからなる発音部とからなる音発生装置が配されていて、
装飾用具本体上から前記スイッチを押下操作したときに前記音発生装置が出力する音が装飾用具本体を通して外方に放出される構成としたことを特徴とする贈答品用装飾用具。
【請求項２】
録音マイクと、該録音マイクに入力された音を音信号に符号化して該音信号を上記音信号発生ＩＣに記録するエンコード装置とからなる録音部を備えていて、前記録音マイクを介して入力された音声を符号化した音信号が音信号発生ＩＣに記録され、装飾用具本体上から上記スイッチを押下したときに、前記音信号を電気信号として復号して上記発音部からの音声が装飾用具本体を通して外方に放出される構成を有する請求項１に記載の贈答品用装飾用具。
【発明の詳細な説明】
【技術分野】
【０００１】
本発明は贈答品に取り付けることができる装飾用具であって、ミュージックなどの音を発生させることでプレゼント時の雰囲気作りに寄与できる装飾用具に関するものである。
【背景技術】
【０００２】
知り合いなどに贈答品をお中元品やお歳暮品などとして渡す場合には、化粧箱に入れたり贈答用の包み紙で包んで送ることが従来から行なわれているが、親しい間柄などでのパーティーやお祝い会のような少人数で行なう催しでは包装せずに贈答品を手渡しで渡すことも多く、花束のように商品が直接見えるので喜ばれ易いものである。そして、その送り主からのプレゼント品であることを表現するためやプレゼント時の雰囲気作りをするために、リボンや特許文献１に示す如くの小さな装飾用具を取り付けることも行なわれている。
【先行技術文献】
【特許文献】
【０００３】
【特許文献１】実用新案登録第３１４１９６７号公報（図３）
【発明の概要】
【発明が解決しようとする課題】
【０００４】
上述したように贈答品に飾り付けとして装飾用具を取り付けることは送り手の気持ちを表現したりする上で有効であるが、静的な飾り付けに止まるものであることから、そのような飾り付けでプレゼントという場での雰囲気作りがより効果的になるようにしたいとの要望があった。
そこで本発明は上記事情に鑑み、贈答品に簡単に取り付けることのできる装飾用具にて、簡易な操作で効果音などの音を発生させるようにすることを課題とし、贈答品の送り手の気持ちをより効果的に表現できるようにしたり雰囲気作りに大いに寄与できるようにすることを目的とするものである。
【課題を解決するための手段】
【０００５】
（請求項１の発明）
本発明は上記課題を考慮してなされたもので、音の透過可能な布製の収納部を備え、タイやソックスなどの着用品を模した形態にした装飾用具本体と、贈答品に前記装飾用具本体を止め付けるための手段であって、装飾用具本体の背面に取り付けられている紐状体とからなり、
前記収納部には、
回路基板上にスイッチと電源電池と音信号発生ＩＣとを実装して、前記スイッチの押下により音信号発生ＩＣが生成する音信号を所定時間出力する音信号発生部と、この音信号発生部からの音信号が入力されて発音動作するスピーカーからなる発音部とからなる音発生装置が配されていて、
装飾用具本体上からの前記スイッチに対する押下操作によって前記音発生装置が出力する音が装飾用具本体を通して外方に放出される構成としたことを特徴とする贈答品用装飾用具を提供して、上記課題を解消するものである。
【０００６】
（請求項２の発明）
そして、本発明において、録音マイクと、該録音マイクに入力された音を音信号に符号化して該音信号を上記音信号発生ＩＣに記録するエンコード装置とからなる録音部を備えていて、前記録音マイクを介して入力された音声を符号化した音信号が音信号発生ＩＣに記録され、装飾用具本体上から上記スイッチを押下したときに、前記音信号を電気信号として復号して上記発音部からの音声が装飾用具本体を通して外方に放出される構成を有するものとすることが可能である。
【発明の効果】
【０００７】
（請求項１に係る発明の効果）
請求項１に係る発明により、ワイン瓶や花束などの贈答品に直接に取り付けることができるとともに、装飾用具本体の上からスイッチのある部分を押すという極めて簡単な操作で音を出すことができ、出力される音をメロディーや効果音などとして構成しておくことも容易であるため、これらの音構成を利用することにより贈答時の雰囲気作りに良好な道具となる。また、人の着用品をスケールダウンしたごとくの物品（即ち、本装飾用具）が贈答品に付帯されるため、その贈答品の外観に見た眼の面白味を付加させることができる。
【０００８】
（請求項２に係る発明の効果）
請求項２に係る発明により、スイッチの押下時に放出させる音を得るための音信号を簡単に作成でき、贈答品のプレゼント時に送り手の声などが出るようにすることが簡単になる。
【図面の簡単な説明】
【０００９】
【図１】本発明に係る贈答品用装飾用具の一例の使用状態を示す説明図である。
【図２】一例における紐状体がある背面を示す説明図である。
【図３】音発生装置を概略的に示す説明図である。
【図４】他の着用品を模した例を示す説明図である。
【発明を実施するための形態】
【００１０】
つぎに本発明を図１から図４に示す実施の形態に基づいて詳細に説明する。
図中１は贈答品用装飾用具１で、贈答品の例をワインにしてそのワイン瓶に取り付けた使用例を表現した図１に示されているようにこの贈答品用装飾用具１は、人の着用品の一つであるネクタイを模した形態にした装飾用具本体２と、贈答品Ａ（図示の例ではワイン）に前記装飾用具本体２を止め付けるために環形状にして伸縮可能な素材からなる紐状体３とからなるものである。
【００１１】
上記装飾用具本体２は音が透過可能で柔軟な素材である布材を縫製手法を用いてネクタイを模するように作成されており、一般的なワイン瓶の肩部に結び目部分２ａを配したときに、その結び目部分２ａの下部に連続するタイ状の下垂部分２ｂが瓶底の高さ位置までには至らない長さにしている。また、正面を装飾の主たる面としていて、図示はしていないが、この正面に小粒の装飾用模擬宝石や縫い込みによる飾り文字や飾り絵などを設けることができる。さらに、下垂部分２ｂは、ネクタイの折りを真似て縫製により内部を収納空間にした収納部４として構成されている。
【００１２】
上記装飾用具本体２の背面における結び目部分２ａと下垂部分２ｂの境となる位置に固定具５を利用して上記紐状体３の一部分を固定していて、環状としたこの紐状体３を贈答品Ａの上からかけ通すことで、ワインとした贈答品Ａの外側にネクタイを模した贈答品用装飾用具１を取り付けることができるようになる。なお、紐状体３は環状に限定されるものではなく、有端の紐やリボンを利用して贈答品に結び止めるようにしてもよい。
【００１３】
装飾用具本体１の下垂部分２ｂにおける上記収納部４には音発生装置６が収納されていて、外部からは前記音発生装置６が目視できないように設けられている。図３はこの音発生装置６を単体の状態で示していて、図示するように音発生装置６は、回路基板上につぎに示す素子類を実装した音信号発生部７と、この音信号発生部７に電気線を介して電気的に接続された発音部８とからなるものである。
【００１４】
音信号発生部７は上述したように回路基板上に、押しボタン形式のオンオフを行なうスイッチ９と、ボタン電池などからなる電源電池１０と、音信号発生ＩＣ１１とを実装している。そして、音信号発生ＩＣ１１にあっては内部のメモリ部分に、予め短い時間の効果音を符号化した音信号が記録されていて、前記スイッチ９の押下（オン）により音信号発生ＩＣ１１が前記音信号を電気信号として復号して所定時間出力する動作を行なうように前記音信号発生部７が設けられている。そして、この音信号発生部７からの電気信号が音発生部８に入力されれば、スピーカーが発音動作するように設けられている。
【００１５】
上述したように装飾用具本体２におけるネクタイの形態を模してなる上記下垂部分２ｂの収納部４に音発生装置６が収納されて、この音発生装置６を柔軟な布材で覆っている状態となっており、音発生装置６でのスイッチ９を装飾用具本体２の上から押下操作できるものとしている。そのため、装飾用具本体２の上からスイッチ９を押下操作すれば、音発生部８が発音動作してなる音、即ち効果音が装飾用具本体２を通して外方に放出され、これによってこの効果音を聞くことができる。
【００１６】
上記実施の形態においては贈答品用装飾用具１を、ネクタイを模した形態の例を挙げて説明しているが、本発明はこれに限定されるものではなく、人の着用品を模した形態であり、音発生装置を隠蔽できる収納部を設けることができるものであればよい。例えば図４に示すように蝶ネクタイを模した形態としたり（イ）、ソックスを模した形態とする（ロ）ことも可能であり、それぞれ模した着用品と同様のイメージを想起する布材で作成し、音発生装置６を収納して隠蔽する収納部４を備えるようにするとともに、贈答品にセットすることができるにするための手段として装飾用具本体２の背面側に紐状体を設けるようにすればよいものである。
【００１７】
また、音発生装置においても、例えば送り手が録音した音を、この贈答品用装飾用具を付けた贈答品を手渡す際に再生できるようにしてもよい。例えば、そのような目的を達成する場合には、上記音発送装置６での音信号発生部７において、録音マイクと、この録音マイクに入力された音を音信号に符号化してその音信号を上記音信号発生ＩＣに記録するエンコード装置とからなる録音部を備えるようにすればよく、上記スイッチ、あるいは録音時用として別に組み付けた専用スイッチを押して、前記録音マイクに音入れし、その前記録音マイクを介して入力された音声を符号化した音信号が音信号発生ＩＣに記録させるようにすることが可能である。
【００１８】
このようにすれば、装飾用具本体２上からスイッチ６を押下したとき（音再生時での押下操作時）に、前記音信号を電気信号として復号して発音部８からの音声が装飾用具本体２を通して外方に放出される構成を有するものとなる。例えば、「おめでとう。パパです。××日に購入しました。××日までに召し上がれ。」などのような音声メッセージを再生できるようになるので、有用性がさらに向上する。
【符号の説明】
【００１９】
１…贈答品用装飾用具
２…装飾用具本体
２ａ…結び目部分
２ｂ…下垂部分
３…紐状体
４…収納部
５…固定具
６…音発生装置
７…音信号発生部
８…音発生部
９…スイッチ
１０…電源電池
１１…音信号発生ＩＣ
Ａ…贈答品
【図１】
2015006765.tif 000003
【図２】
2015006765.tif 000004
【図３】
2015006765.tif 000005
【図４】
2015006765.tif 000006